(57)【要約】【課題】  各筐体間の電気的接続を、装置の小型化に支障を生じることがなく、高い信頼性をもってデータの取り扱いをなし得るようにし、伸長状態においても電気的接続部分を見せないようにする。【解決手段】  第一筐体１２と第二筐体１３とを互いにスライド可能に連結し、相対的にスライドさせることにより伸長状態もしくは収縮状態となる構造とする。第一筐体１２に、背面に露出する導体パターン３１を有するプリント基板３２を設ける。第二筐体１２に、導体パターン３１と摺動可能に導通接触する端子３４を設ける。第一筐体１２と第二筐体１３とが伸長状態とされた際に、第一筐体１２の導体パターン３１を覆うシート部材３７を設ける。第一筐体１２内に、シート部材３７を巻き取って第一筐体１２内に収納する巻き取り機構３５を設ける。【選択図】      図１
2005136600.tif 000002
【特許請求の範囲】
【請求項１】
互いにスライド可能に連結された第一筐体及び第二筐体を有し、これら第一筐体及び第二筐体を相対的にスライドさせることにより伸縮可能な携帯端末であって、
前記第一筐体には、前記第二筐体に設けられた端子が摺動可能に導通接触する導体パターンとを有し、
前記携帯端末が伸長した際に前記導体パターンを覆うシート部材を備えたことを特徴とする携帯端末。
【請求項２】
前記携帯端末が収縮した際に、前記シート部材が前記第一筐体内又は第二筐体内に収納されることを特徴とする請求項１に記載の携帯端末。
【請求項３】
前記第一筐体には、収縮に伴って前記シート部材を巻き取る巻き取り機構を有することを特徴とする請求項２に記載の携帯端末。
【請求項４】
前記シート部材は、金属材料から形成されていることを特徴とする請求項１から３のいずれか１項に記載の携帯端末。
【請求項５】
前記シート部材は、前記導体パターンとの対向面が絶縁材料によって覆われていることを特徴とする請求項４に記載の携帯端末。
【請求項６】
前記第一筐体に設けられた導体パターンが、フレキシブル配線板に形成されていることを特徴とする請求項１から５のいずれか１項に記載の携帯端末。
【請求項７】
前記第一筐体に設けられた導体パターンが、前記第一筐体の背面に直接形成されていることを特徴とする請求項１から５のいずれか１項に記載の携帯端末。
【請求項８】
少なくとも送話部及び受話部を有する携帯電話機であることを特徴とする請求項１から７のいずれか１項に記載の携帯端末。
【発明の詳細な説明】
【技術分野】
【０００１】
本発明は、互いに相対移動できるように連結された二つの筐体を有し、これら筐体を電気的に接続するようにした携帯端末に関するものである。
【背景技術】
【０００２】
近年、携帯端末として各種のものが提供されているが、多種機能確保等の要請と装置の小型化の要請を両立させるべく、装置を互いに連結された二つの筐体で構成し、携帯電話機としての使用時やキー操作を重視した使用時には各筐体を変位させて伸長させ、閲覧を重視した使用時や不使用時には各筐体を全体がコンパクトになるように変位させて収縮させるようにしたものが提案されている。
この種の携帯端末においては、例えば一方の筐体に各種の操作キーを有する操作部を設け、他方の筐体に液晶表示部を設ける等の構成を採用しており、各筐体間を電気的に接続する必要がある。
【０００３】
従来このような場合の電気的接続手段としては、螺旋状くせを付けたケーブルで接続したり、あるいは螺旋状にくせを付けたフレキシブル配線板（ＦＰＣ：Flexible Printed Circuit）を巻き取る構造が知られている。
また、筐体にラックを備え、ピニオンを回転させてフレキシブル配線板を巻き取る構造も知られている。
【特許文献１】特開２００３−３１９６８号公報
【発明の開示】
【発明が解決しようとする課題】
【０００４】
しかしながら、上記の電気的接続を行う手段においては、フレキシブル配線板を小さな半径の軸に巻き付け、伸長時には真っ直ぐに伸ばすため、信号線の銅箔にストレスがかかり銅箔が切断されることがあり、電気的接続の信頼性に欠けることが想定できる。
さらに、リード線を用いるものにあっては、外観意匠を損なう一方、リード線が多大なスペースを占有し、特に小型化の要請の強い機器に対して適用できないものであった。
また、いずれの手段においても、二つの筐体を大きく移動させることができないという問題があった。
【０００５】
この発明は、このような事情を考慮してなされたもので、その目的は、一対の筐体が互いに相対移動自在に連結された携帯端末において、各筐体間の電気的接続を、装置の小型化に支障を生じることがなく、高い信頼性をもってデータの取り扱いをなし得るようにし、伸長状態においても電気的接続部分を見せないようにした携帯端末を提供することにある。
【課題を解決するための手段】
【０００６】
上記目的を達成するために、本願の携帯端末は、互いにスライド可能に連結された第一筐体及び第二筐体を有し、これら第一筐体及び第二筐体を相対的にスライドさせることにより伸縮可能な携帯端末であって、前記第一筐体には、前記第二筐体に設けられた端子が摺動可能に導通接触する導体パターンを有し、前記携帯端末が伸長した際に前記導体パターンを覆うシート部材を備えたことを特徴としている。
【０００７】
また、前記携帯端末が収縮した際に、前記シート部材が前記第一筐体内又は第二筐体内に収納されることを特徴としている。
また、前記第一筐体に、収縮に伴って前記シート部材を巻き取る巻き取り機構を有することを特徴としている。
【０００８】
また、前記シート部材が、金属材料から形成されていることを特徴としている。
また、前記シート部材が、前記導体パターンとの対向面が絶縁材料によって覆われていることを特徴としている。
【０００９】
また、前記第一筐体に設けられた導体パターンが、フレキシブル配線板に形成されていることを特徴としている。
また、前記第一筐体に設けられた導体パターンが、前記第一筐体の背面に直接形成されていることを特徴としている。
また、少なくとも送話部及び受話部を有する携帯電話機であることを特徴としている。
【発明の効果】
【００１０】
本発明によれば、各筐体間の電気的接続を、装置の小型化に支障を生じることがなく、高い信頼性をもってデータの取り扱いをなし得るようにし、伸長状態においても電気的接続部分を見せないようにすることができる。
【発明を実施するための最良の形態】
【００１１】
以下、本発明を実施するための最良の形態に係る携帯端末について図面を参照して説明する。
図１は、実施形態に係る携帯端末を示す伸長状態における正面図及び断面図、図２は、携帯端末を示す収縮状態における正面図及び断面図、図３は、携帯端末を示す横断面図、図４は、携帯端末を示す背面側の斜視図である。
図に示すように、この携帯端末１１は、第一筐体１２及び第二筐体１３を有している。これら第一筐体１２及び第二筐体１３は、相対的に互いに長手方向に沿ってスライドされて伸長させた伸長状態（図１に示す状態）及び収縮させた収縮状態（図２に示す状態）の二つの形態となる。
【００１２】
第一筐体１２には、受話器１４、表示部１５、サブキー操作部１６といった主要部品が配置されている。
もう一方の第二筐体１３には、キー操作部１７、送話器１８といった主要部品が配置され、内部には、電池１９が配設されている。
キー操作部１７は、各種操作指示を行うためのものである。このキー操作部１７には、少なくとも電話番号や文章入力に必要なテンキー、着信ボタン、ファンクションキーである機能選択キーなどの各種ボタン及び操作キーが設けられている。
【００１３】
サブキー操作部１６は、主に収縮状態で必要とされる各種操作キーが配置されている。例えば、収縮状態でも電話の着信を受けたい場合は、着信ボタンを配置又は必要に応じてユーザ側でキーの機能を割り付けることも出来る。
表示部１５は、液晶画面（ＬＣＤ：Liquid Crystal Display）からなり、電話番号の表示やメニュー画面などの表示を行う。
この表示部１５は、第一筐体１２及び第二筐体１３が互いにスライドすることにより形状が変わることから考えると、収縮状態では手書き入力することを前提にＰＤＡ（Personal Digital Assistants）的な使い方が重視され、伸長状態では通常の携帯電話的な使い方が実用的である。
【００１４】
図５は、携帯端末の機能を説明するブロック図である。
図に示すように、この携帯端末１１は、ＣＰＵ２１を有し、このＣＰＵ２１には、操作部２２、入力部２３、ＲＯＭ２４、ＲＡＭ２５及び通信部２６が接続されている。そして、ＣＰＵ２１によって、これら操作部２２、入力部２３、ＲＯＭ２４、ＲＡＭ２５及び通信部２６による携帯通信処理が行われる。
【００１５】
第一筐体１２には、第一筐体１２及び第二筐体１３のスライド方向に沿う複数のスリット３０が形成されている。また、第一筐体１２には、第一筐体１２及び第二筐体１３のスライド方向に沿う複数の導体パターン３１が形成されたプリント基板３２を有しており、これら導体パターン３１が第一筐体１２の背面に形成されたスリット３０を臨む位置に配設されて露出されている。
【００１６】
また、第二筐体１３には、その内部にキー操作部用基板３３を有しており、このキー操作部用基板３３には、その一端側における第一筐体１２側に、複数の端子３４が設けられている。これら端子３４は、第一筐体１２側へ突出されており、第一筐体１２のスリット３０を介して導体パターン３１に当接されている。
そして、これら端子３４は、第一筐体１２と第二筐体１３とを相対的にスライドさせた際に、導体パターン３１に摺動可能に導通接触するようになっている。
【００１７】
また、第一筐体１２には、伸長状態にて第二筐体１３から離間する端部側に、巻き取り機構３５を備えている。この巻き取り機構３５は、回転可能なロール３６と、このロール３６に、一方向へ回転させる回転力を付与する図示しない付勢手段とから構成されており、この巻き取り機構３５のロール３６の周面に、可撓性を有するシート部材３７の一端部が接続されている。
このシート部材３７は、その他端部が第二筐体１３に接続されており、これにより、この第一筐体１２と第二筐体１３とを伸長させて伸長状態とした際に、図１及び図４に示すように、第一筐体１２の背面にシート部材３７が配設される。
【００１８】
ここで、このシート部材３７は、少なくとの第一筐体１２の全てのスリット３０を覆える幅寸法とされている。
これにより、第一筐体１２と第二筐体１３とを伸長させて伸長状態とした際に、スリット３０を介して露出されているプリント基板３２の導体パターン３１がシート部材３７によって覆われる。
また、この伸長状態の第一筐体１２と第二筐体１３とをスライドさせて収縮状態とすると、図２に示すように、シート部材３７が第一筐体１２の巻き取り機構３５のロール３６に巻き取られて第一筐体１２内に収納される
【００１９】
なお、シート部材３７は、例えば、薄膜の金属材料から形成されており、伸長状態とした際に導体パターン３１と対向する面が絶縁材料によって覆われている。
また、第一筐体１２としては、引き出したシート部材３７が指などに引っ掛かってめくれないように、その背面の一部を一段落とし込む形状とすると良い。
【００２０】
このように、上記実施携帯に係る携帯端末１１によれば、第一筐体１２と第二筐体１３との間のデータの送受等が摺動式の電気接点を介してなされ、高い信頼性が確保される。
また、伸長状態に有る場合は、第一筐体１２に存在する導体パターン３１がシート部材３７で覆われるので、ゴミ、塵、埃等の侵入を防ぐと共に、ユーザーが導体パターン３１からなる電気的接続面に触れることによる不具合も防止でき、更に、内部部品の露出を防ぐことが出来るので見栄えも良くなる。
【００２１】
また、第一筐体１２と第二筐体１３とを収縮状態とすることにより、シート部材３７を第一筐体１２内に収納して良好な外観を得ることができる。しかも、シート部材３７を巻き取り機構３５によって巻き取るので、第一筐体１２と第二筐体１３が摺動中のいずれの位置にあっても、シート部材３７を撓ませたり無理に引っ張ることなく適正な張力で配置することができる。
また、シート部材３７が金属材料から形成されているので、剛性が高く外からの衝撃も吸収することができ、電気的摺動面を保護する機能が高まると共に第一筐体１２の第二筐体１３側の面の見栄えも良くなる。
【００２２】
更に、シート部材３７の外面を第一筐体１２と近似色等にすることで違和感の少ない端末を提供することができる。
また、シート部材３７の導体パターン３１との対向面を絶縁材料によって覆うことで外部からの押圧で導体パターン３１における電気的摺動面をショートさせる危険をなくすことができる。従って、第一筐体１２にシート部材３７が押圧されてもシート部材３７が導体パターン３１の電気的摺動面に接触しないように、一段落とし込むといった複雑な構造を必要としないですむ。
【００２３】
なお、上記の例では、導体パターン３１を設けたプリント基板３２を第一筐体１２に配設したが、このプリント基板３２に代えて、可撓性を有するフレキシブル配線板を用い、このフレキシブル配線板に導体パターン３１を設けても良く、このようにすると、フレキシブル配線板を固定する相手形状に沿わせることができ、平面の移動にこだわることなく、円弧状等の移動が可能になる。
【００２４】
また、第一の筐体１２の背面に、導体パターン３１を直接設けても良く、このようにすることで、第一の筐体１２と第二の筐体１３とを電気的に接続するためのプリント基板やフレキシブル配線板を組み込む必要性が無くなるので、組み立て作業性が向上し、さらに水平面の移動にこだわることなく、円弧状等の移動が可能になる。
なお、巻き取り機構を設けず、シート部材３７を第一筐体１２内にそのまま引き込む構造としても良い。
また、本実施形態では、第一筐体内にシート部材３７を収納する構造にしているが、第二筐体内にシート部材を収納する構造でも良い。
尚、本発明の携帯端末は、携帯電話機や携帯情報端末（ＰＤＡ）などを含むものである。
【図面の簡単な説明】
【００２５】
【図１】本発明の実施形態に係る携帯端末を示す伸長状態における正面図及び断面図である。
【図２】実施形態に係る携帯端末を示す収縮状態における正面図及び断面図である。
【図３】実施形態に係る携帯端末を示す横断面図である。
【図４】実施形態に係る携帯端末を示す背面側の斜視図である。
【図５】実施形態に係る携帯端末の機能を説明する機能ブロック図である。
【符号の説明】
【００２６】
１１  携帯端末
１２  第一筐体
１３  第二筐体
１４  受話部
１８  送話部
３１  導体パターン
３４  端子
３５  巻き取り機構
３７  シート部材
【図１】
2005136600.tif 000003
【図２】
2005136600.tif 000004
【図３】
2005136600.tif 000005
【図４】
2005136600.tif 000006
【図５】
2005136600.tif 000007